(57)【要約】【課題】締付力によってスリーブを確実に縮径させ、マイクロホンを保持することができるマイクロホンホルダーを提供する。【解決手段】マイクロホンが挿通されるスリーブ２１から互いに平行に延設される一対のクランプアーム２３，２３の自由端２３ａ，２３ａにクランプアーム２３，２３を締め付けた際に、その自由端２３ａ，２３ａ同士が接近しないようにするためのスペーサ２４を設ける。【選択図】図１
2008219831.tif 000002
【特許請求の範囲】
【請求項１】
マイクロホンが挿通される断面Ｃ字状のスリーブと、上記スリーブの切欠部から上記スリーブとは離反する方向に向かって互いに平行に延設される一対のクランプアームとを有し、所定の締付手段を介して上記各クランプアーム同士を互いに接近させ、上記スリーブを縮径して上記マイクロホンを保持するマイクロホンホルダーにおいて、
上記各クランプアームの自由端の間には、上記クランプアームを締め付けた際に、その自由端同士が接近しないようにするためのスペーサが設けられていることを特徴とするマイクロホンホルダー。
【請求項２】
上記スペーサは、上記各クランプアームの上記締付手段の作用点と上記各クランプアームの自由端との間に設けられていることを特徴とする請求項１に記載のマイクロホンホルダー。
【請求項３】
上記スペーサは、上記各クランプアームの自由端同士を一体的に連結して断面コ字状に形成したことを特徴とする請求項１または２に記載のマイクロホンホルダー。
【請求項４】
上記各クランプアームが上記締付手段を介して固定される支持溝を有するベースユニットをさらに備え、上記スペーサが上記支持溝側に設けられていることを特徴とする請求項１または２に記載のマイクロホンホルダー。
【発明の詳細な説明】
【技術分野】
【０００１】
本発明は、マイクロホンをマイクロホンスタンドなどに固定するために用いられるマイクロホンホルダーに関し、さらに詳しく言えば、楽器音などの収音時において、激しい振動や衝撃が加えられてもマイクロホンを確実に保持することができるマイクロホンホルダーに関する。
【背景技術】
【０００２】
マイクロホンスタンドには、例えば特許文献１に示すように、マイクロホンのグリップ部が差し込まれる断面Ｃ字状のホルダーが設けられており、ホルダーにマイクロホンを差し込んで保持していた。
【０００３】
しかしながら、楽器の音を収音する場合、楽器の演奏に伴う振動によってマイクロホンの設置位置が初期状態と変わってしまうことがあった。とりわけドラムセットは振動が激しいため、マイクロホンの設置位置が変わりやすい。
【０００４】
そこで、激しい振動が加わってもマイクロホンをしっかりと把持しておくことができるマイクロホンホルダーが市場に提供されている。これについて、図４および図５を参照して説明する。
【０００５】
このマイクロホンホルダー１は、図示しないマイクロホンのグリップ部が挿通される断面Ｃ字状のスリーブ２１と、スリーブ２１の切欠部２２からスリーブ２とは離反する方向に向かって互いに平行に延設される一対のクランプアーム２３，２３とを有するホルダー本体２と、同ホルダー本体２を固定するベースユニット３とを有し、ベースユニット３に設けられた締付手段４によってクランプアーム２３，２３同士を互いに接近させることにより、スリーブ２１の内径を縮径してマイクロホンを狭持する。
【０００６】
【特許文献１】特開２００２−２３２９８１号公報〔図４〕
【発明の開示】
【発明が解決しようとする課題】
【０００７】
しかしながら、このマイクロホンホルダー１には、次のような問題があった。すなわち、従来のマイクロホンホルダー１は、各クランプアーム２３，２３の他端が自由端であるため、締付手段４を締め付けてゆくと、図６に示すように、各クランプアーム２３，２３の自由端２３ａ，２３ａ同士が互いに接近してしまい、スリーブ２１の縮径変形が小さくなる。したがって、マイクロホンのグリップ径によっては、十分な保持力が得られないおそれがある。
【０００８】
また、強引に締付手段４を締め付けた場合には、クランプアーム２３，２３が塑性変形してしまうおそれがあるため、より保持力が小さくなってしまうこともある。
【課題を解決するための手段】
【０００９】
そこで、本発明は、上述した課題を解決するため、締付力によってスリーブを確実に縮径させ、マイクロホンを保持することができるマイクロホンホルダーを提供することにある。
【００１０】
上述した目的を達成するため、本発明は以下に示すいくつかの特徴を備えている。すなわち、請求項１に記載の発明は、マイクロホンが挿通される断面Ｃ字状のスリーブと、上記スリーブの切欠部から上記スリーブとは離反する方向に向かって互いに平行に延設される一対のクランプアームとを有し、所定の締付手段を介して上記各クランプアーム同士を互いに接近させ、上記スリーブを縮径して上記マイクロホンを保持するマイクロホンホルダーにおいて、上記各クランプアームの自由端の間には、上記クランプアームを締め付けた際に、その自由端同士が接近しないようにするためのスペーサが設けられていることを特徴としている。
【００１１】
請求項２に記載の発明は、上記請求項１において、上記スペーサは、上記各クランプアームの上記締付手段の作用点と上記各クランプアームの自由端との間に設けられていることを特徴としている。
【００１２】
請求項３に記載の発明は、上記スペーサは、上記各クランプアームの自由端同士を一体的に連結して断面コ字状に形成したことを特徴としている。
【００１３】
請求項４に記載の発明は、上記請求項１または２において、上記各クランプアームが上記締付手段を介して固定される支持溝を有するベースユニットをさらに備え、上記スペーサが上記支持溝側に設けられていることを特徴としている。
【発明の効果】
【００１４】
請求項１に記載の発明によれば、各クランプアームの自由端の間に、クランプアームの自由端同士が接近しないようにするためのスペーサを設けたことにより、締付手段の締付力をスリーブ側に確実に伝達することができ、スリーブを確実に縮径して、マイクロホンを強固に保持することができる。
【００１５】
請求項２に記載の発明によれば、スペーサを各クランプアームの締付手段の作用点と各クランプアームの自由端との間に設けたことにより、締付力を作用点とスリーブの付け根の間に確実に伝達することができる。
【００１６】
請求項３に記載の発明によれば、スペーサは各クランプアームの自由端同士を一体的に連結して断面コ字状に形成したことにより、自由端の動きを容易に拘束することができる。
【００１７】
請求項４に記載の発明によれば、クランプアームが取り付けられるベースユニット側にスペーサを設けたことにより、図４に示すような従来型のクランプアームを用いても、確実にスリーブを縮径することができる。
【発明を実施するための最良の形態】
【００１８】
次に、本発明の実施形態について、図面を参照しながら説明するが、本発明はこの限りではない。図１は、本発明の一実施形態に係るマイクロホンホルダーの部分断面図であり、図２（ａ）は、ホルダー本体の正面図であり、図２（ｂ）は、そのＡ−Ａ断面図である。なお、上述した従来例と同一もしくは同一と見なされる箇所には、同じ参照符号を付した。
【００１９】
図１および図２に示すように、このマイクロホンホルダー１Ａは、図示しないマイクロホンの円筒状のマイク筐体（グリップ部）を支持するホルダー本体２Ａと、同ホルダー本体２Ａを支持するベースユニット３Ａとを備え、それらが締付手段４Ａを介して一体的に連結されている。
【００２０】
ホルダー本体２Ａは、マイクロホンのグリップ部が挿通される断面Ｃ字状のスリーブ２１と、スリーブ２１の切欠部２２からスリーブ２１とは離反する方向に互いに平行に延設された一対のクランプアーム２３，２３とを備えている。この例において、ホルダー本体２Ａは、硬質合成樹脂の成型品からなる。
【００２１】
図２（ｂ）に示すように、スリーブ２１は、中央にマイクロホンが差し込まれる挿通孔２１１を備える円筒状を呈し、挿通孔２１１の開放端は、マイクロホンが差し込みやすいようにテーパー２１２が設けられている。なお、スリーブ２１内には、滑り止め用のゴムが貼着されていてもよい。
【００２２】
各クランプアーム２３，２３は、スリーブ２１の切欠部２２から下に向かって垂直に延設されており、その一部には、後述する締付手段４Ａの締付ボルト４１と締付ナット４２とが挿通される挿通孔２３１，２３１が互いに対向配置されている。挿通孔２３１，２３１は同径である。
【００２３】
各クランプアーム２３，２３の自由端側２３ａ，２３ａは、スペーサ２４を介して一体的に連結されており、全体が断面コ字状に形成されている。この例において、スペーサ２４は、各クランプアーム２３，２３の自由端２３ａ，２３ａを一体に連結するように設けられているが、各クランプアーム２３，２３の自由端２３ａ，２３ａと締付手段４Ａの作用点（挿通孔２３１，２３１）との間に設けられていればよい。
【００２４】
また、スペーサ２４は、各クランプアーム２３，２３の両端同士が互いに接近しないように設けられていれば、クランプアーム２３，２３に一体であっても、別体であっても構わない。
【００２５】
これによれば、締付手段４Ａを介してクランプアーム２３，２３を締め付けた場合、自由端２３ａ，２３ａ同士が互いに接近するのをスペーサ２４によって規制できるため、クランプアーム２３，２３の締付力を介してスリーブ２１を確実に縮径することができる。
【００２６】
ベースユニット３Ａは、全体が円筒状に形成されており、上部にホルダー本体２Ａのクランプアーム２３，２３が挿入される支持溝３１が設けられている。支持溝３１は、ベースユニット３Ａの上端から中心に向かって一定の幅を持って形成されており、支持溝３１を挟んでその両側に挟持部３０ａ，３０ｂが形成されている。
【００２７】
挟持部３０ａ，３０ｂには、後述する締付手段４Ａの締付ボルト４１および締付ナット４２を取り付けるための、取付孔３２，３３が設けられている。取付孔３２，３３は、支持溝３１を挟んで互いに対向配置されており、一方の取付孔３２に締付ボルト４１が挿通され、他方の取付孔３３に締付ナット４２が挿通され、支持溝３１内でそれらが互いに螺合されている。
【００２８】
取付孔３２には、締付ボルト４１の座金４１２が係止される段差面３２１が設けられている。段差面３２１は、取付孔３２に同軸であり、かつ、取付孔３２の内径よりも大径な段差面である。
【００２９】
取付孔３３には、締付ナット４２の座金４２２が係止される段差面３３１が設けられている。段差面３３１は、取付孔３３に同軸であり、かつ、取付孔３２の内径よりも大径な段差面である。
【００３０】
ベースユニット３Ａの底部（図１では下部）には、図示しないマイクロホンスタンドなどに設けられた継ぎ手手段に接続されるジョイント部３４が設けられている。この例において、ジョイント部３４は、所定ピッチの雌ねじが形成されているが、これ以外にワンタッチ式の着脱機構などであってもよい。本発明において、ジョイント部３４の構成は任意的事項である。
【００３１】
締付手段４Ａは、締付ボルト４１と締付ナット４２とを備えている。締付ボルト４１は、先端に雄ねじ４１１が形成されており、他端に座金４１２が同軸に形成されている。座金４１２の他端には、締付ボルト４１を回転操作する際のツマミ４１３が同じく同軸に設けられている。
【００３２】
締付ナット４２は、取付孔３３に沿って挿入される円筒状のガイド４２１と、同ガイド４２１よりも大径な座金４２２とを有し、ガイド４２１の内側には雌ねじが形成されている。
【００３３】
これによれば、締付ボルト４１と締付ナット４２とを取付孔３２，３３から差し込み、支持溝３１内で互いに螺合して締め付けることで、挟持部３０ａ，３０ｂが弾性変形しながら互いに接近し、支持溝３１内に保持されたクランプアーム２３，２３を押圧することができる。
【００３４】
次に、このマイクロホンホルダー１Ａの使用手順の一例について説明する。最初に、締付手段４Ａの締付ボルト４１と締付ナット４２は緩めておき、スリーブ２１に沿って図示しないマイクロホンのグリップ部を挿通する。
【００３５】
次に、手で締付ボルト４１のツマミ４１３をゆっくりと締め付けてゆくと、締付ボルト４１は締付ナット４２内に向かって徐々に進行してゆくとともに、挟持部３０ａ，３０ｂが弾性変形しながら互いに接近してゆく。
【００３６】
挟持部３０ａ，３０ｂが接近に応じて、クランプアーム２３，２３も互いに接近するが、クランプアーム２３，２３の自由端２３ａ，２３ａは、スペーサ２４によって固定されているため、その締付力はスリーブ２１とクランプアーム２３，２３との付け根側に伝達されてスリーブ２１が徐々に縮径してゆく。
【００３７】
スリーブ２１が縮径するに伴い、スリーブ２１内に保持されたマイクロホンにスリーブ２１が密着して、マイクロホンの抜け落ちが防止される。マイクロホンを抜き取るには、締付ボルト４１のツマミ４１３を逆転させればよい。
【００３８】
この例において、スペーサ２４は、ホルダー本体２Ａに一体的に設けられているが、スペーサ２４は、ベースユニット３Ａ側に設けられていてもよい。すなわち、図３に示すように、支持溝３１の底部からクランプアーム２３，２３の間隙に向けてスペーサ２４を突設するように設けてもよい。このような態様も本発明に含まれる。
【００３９】
これによっても、クランプアーム２３，２３の自由端２３ａ，２３ａ同士が互いに接近するのを規制することができるばかりでなく、従来型のホルダー本体２（図４参照）を用いても確実にスリーブ２１を縮径することができる。
【００４０】
なお、本発明のマイクロホンホルダー１Ａによって支持されるマイクロホンの種類は、特に限定されない。
【図面の簡単な説明】
【００４１】
【図１】本発明の一実施形態に係るマイクロホンホルダーの要部断面図。
【図２】ホルダー本体の（ａ）正面図および（ｂ）Ａ−Ａ線断面図。
【図３】ベースユニットにスペーサを設けた変形例を示す要部断面図。
【図４】従来のマイクロホンホルダーの要部断面図。
【図５】従来のホルダー本体の正面図。
【図６】従来のホルダー本体のクランプ状態を模式的に示した模式図。
【符号の説明】
【００４２】
１，１Ａ  マイクロホンホルダー
２，２Ａ  ホルダー本体
２１  スリーブ
２２  切欠部
２３，２３  クランプアーム
２４  スペーサ
３，３Ａ  ベースユニット  
３０ａ，３０ｂ  挟持部
３１  支持溝
３２，３３  取付孔
４，４Ａ  締付手段
４１  締付ボルト
４２  締付ナット
【図１】
2008219831.tif 000003
【図２】
2008219831.tif 000004
【図３】
2008219831.tif 000005
【図４】
2008219831.tif 000006
【図５】
2008219831.tif 000007
【図６】
2008219831.tif 000008